(57)【要約】【課題】配置される箇所の環境に柔軟に対応できる空調用ダクト及び当該空調用ダクトを有する全館空調システムを得る。【解決手段】分岐チャンバ４ａ(４ｂ)において、空気を導入する導入側接続口４２ａ(４２ｂ)と、導入された空気を分岐させて導出する複数の導出側接続口４１ａ(４１ｂ)を有し、複数の導出側接続口４１ａ(４１ｂ)が成す形状と導出側接続口４２ａ(４２ｂ)が成す形状とが互いに異なるように構成する。【選択図】図２
2016099084.tif 000002
【特許請求の範囲】
【請求項１】
空気を導入する導入側接続口と、
前記導入された空気を分岐させて導出する複数の導出側接続口と
を有する空調用分岐チャンバであって、
前記導入側接続口が成す形状と前記複数の導出側接続口が成す形状とが互いに異なることを特徴とする空調用分岐チャンバ。
【請求項２】
前記複数の導出側接続口は円形状を成し、前記導入側接続口は扁平形状を成すことを特徴とする請求項１記載の空調用分岐チャンバ。
【請求項３】
室内機が作り送出する空気を、複数の部屋にそれぞれ設けられた吹出口まで導き前記複数の部屋を対象に空調を行う全館空調システムにおいて、
請求項１または請求項２記載の空調用分岐チャンバを備えることを特徴とする全館空調システム。
【請求項４】
前記室内機に接続され、この室内機から送出される空気が通るダクトを備え、
前記ダクトの一端の接続口は前記空調用分岐チャンバの導入側接続口に接続されることを特徴とする請求項３記載の全館空調システム。
【請求項５】
前記ダクトは、
前記一端の接続口と他端の接続口との間に屈曲部を有し、
前記屈曲部よりも前記一端の接続口側の部分の少なくとも一部の断面が扁平形状を成し、
前記屈曲部よりも前記他端の接続口側の部分の断面が円形状を成すことを特徴とする請求項３または請求項４記載の全館空調システム。
【発明の詳細な説明】
【技術分野】
【０００１】
この発明は、空調システムにおいて空気の通り道となる空調用ダクトを通る空気を多方向に分岐させて、所定の空間に空気を供給するための分岐チャンバ、及び、当該分岐チャンバを有する全館空調システムに関するものである。
【０００２】
全館空調システムでは、空調機が作り送出する空気を、ダクトを通じて各部屋に供給することで、全館空調を行う。空調機が送出する空気は、まずサプライチャンバから主ダクトに入り、その後、分岐チャンバにて分岐ダクトへと分岐される。
【０００３】
分岐チャンバは、空調機が作り送出した空気を、建物内の各部屋へと分岐させて導くためのものである。例えば特許文献１には、一つの導入口と複数の排出口が設けられた空気調和装置用分岐型チャンバが開示されている。
【特許文献１】特開２００３−７４９５８号公報
【発明の開示】
【発明が解決しようとする課題】
【０００４】
ところで、特許文献１に示すような分岐チャンバが、階間、あるいは、天井裏に配置される場合、チャンバ本体の高さ方向の寸法が大きいと、その分天井下がりを多く取る必要があるため、居住空間の高さに影響が出てしまう。
【０００５】
この発明は、上記のような課題を解決するためになされたもので、配置される箇所の環境に柔軟に対応できる空調用分岐チャンバを得ることを目的とする。
【課題を解決するための手段】
【０００６】
この発明に係る空調用分岐チャンバは、空気を導入する導入側接続口と、導入された空気を分岐させて導出する複数の導出側接続口とを有し、複数の導入側接続口が成す形状と導出側接続口が成す形状とが互いに異なることを特徴とするものである。
【発明の効果】
【０００７】
この発明によれば、配置される箇所の環境に柔軟に対応できる空調用分岐チャンバを得ることができる。
【発明を実施するための形態】
【０００８】
実施の形態１．
図１は、この発明の実施の形態１に係る空調用分岐チャンバを備えた全館空調システムの概略構成図である。後述する主ダクト３ａ，３ｂ、分岐ダクト５ａ〜５ｄ、排気ダクト８ａ、吸気ダクト８ｂ等、空気の通り道となる部材が空調用ダクトにあたる。この全館空調システムは、複数の部屋を対象に空調を行うものであり、ここでは、建物内の１階の部屋１００ａ，１００ｂと２階の部屋２００ｃ，２００ｄの計４つの部屋を対象とした場合を例に示す。
【０００９】
全館空調システムは、冷気又は暖気(以下、空気)を作り送出する空調機１と、空調機１が作った空気が導入されるサプライチャンバ２と、サプライチャンバ２に一端部が接続する主ダクト３ａ，３ｂと、主ダクト３ａ，３ｂの他端部がそれぞれ接続する分岐チャンバ４ａ，４ｂと、分岐チャンバ４ａ，４ｂと各部屋の吹出口７ａ〜７ｄとをつなぐ分岐ダクト５ａ〜５ｄと、外気の取り入れと室内空気の排出を担う換気装置６等とで構成される。
【００１０】
空調機１は、建物内の機械室２００ｅに設置される室内機１１と建物外に設置される室外機１２とで構成され、冷媒、圧縮機、熱交換器、ファン等の働きにより室内機１１で冷気又は暖気を作り送出する。室外機１２との協働により室内機１１が作り送出した空気は、室内機１１の上部に設置されたサプライチャンバ２内へ導入される。
【００１１】
サプライチャンバ２には２本の主ダクト３ａ，３ｂの一端部が接続しており、室内機１１からサプライチャンバ２内へ導入された空気は、主ダクト３ａ，３ｂへと２つに分岐する。主ダクト３ａ，３ｂの他端部は、分岐チャンバ４ａ，４ｂにそれぞれ接続している。主ダクト３ａ，３ｂは、その一端部が、サプライチャンバ２と接続する接続口３１ａ，３１ｂとなっており、他端部が、分岐チャンバ４ａ，４ｂと接続する接続口３２ａ，３２ｂとなっている。接続口３１ａ，３１ｂと接続口３２ａ，３２ｂとの間には、主ダクト３ａ，３ｂの軸方向に変化をつける屈曲部３３ａ，３３ｂが主ダクト３ａ，３ｂの一部として形成されている。
【００１２】
主ダクト３ａ，３ｂのうちの、屈曲部３３ａ，３３ｂよりも接続口３１ａ，３１ｂ側の部分は、断面が接続口３１ａ，３１ｂと同じ円形状の円筒状ダクトであり、また、主ダクト３ａ，３ｂのうちの、屈曲部３３ａ，３３ｂよりも接続口３２ａ，３２ｂ側の部分は、断面が接続口３２ａ，３２ｂと同じ楕円形状の扁平ダクトである。
【００１３】
主ダクト３ａ，３ｂは、例えば蛇腹状に構成されたダクト、いわゆるフレキシブルダクトであり、これにより、屈曲部３３ａ，３３ｂで屈曲可能に構成されている。なお、主ダクト３ａ，３ｂの全体を蛇腹状に構成してもよいし、主ダクト３ａ，３ｂのうちの一部分（屈曲部３３ａ，３３ｂに相当する部分）のみを蛇腹状に構成してもよい。あるいは、主ダクト３ａ，３ｂのうちの一部分のみを、変形容易な素材で構成してもよい。ただし、主ダクト３ａ，３ｂの全体を蛇腹状に構成すれば、任意の箇所で主ダクト３ａ，３ｂを屈曲させることができるので、建物の設計事情に対して、より柔軟に対応可能となる。屈曲部３３ａ，３３ｂは、それぞれ複数設けられてもよい。また例えば主ダクト３ａ，３ｂは、建物への配置施工前は、屈曲されずに直管状となっており、配置施工の際に、屈曲部３３ａ，３３ｂにて屈曲した状態とされる。
【００１４】
分岐ダクト５ａ〜５ｄの他端部は、部屋１００ａ，１００ｂ，２００ｃ，２００ｄの例えば天井に設けられた吹出口７ａ〜７ｄにそれぞれ接続しており、室内機１１が送出した空気は、最終的に吹出口７ａ〜７ｄから各部屋内へ吹き出される。尚、図示例では、主ダクト３ａを通じて１階の部屋１００ａ，１００ｂを空調し、主ダクト３ｂを通じて２階の部屋２００ｃ，２００ｄを空調することで、階別に空調ゾーンが設定されるように構成している。
【００１５】
また、室内空気は、各部屋から廊下等を通って機械室２００ｅへと入り、ファン等を有する換気装置６によって排気ダクト８ａを介して建物外へ排気される。例えば、部屋１００ａ，１００ｂ内の空気であれば、部屋１００ａ，１００ｂの下部に設けられた通風孔を通って１階の廊下１００ｆに入り、階段１００ｇを伝って２階の廊下２００ｈへ抜け、廊下２００ｈと機械室２００ｅとの間の通風孔を通って機械室２００ｅへと入る。さらに換気装置６は、吸気ダクト８ｂを介して外気を取り入れる働きも有し、取り入れた外気は、室内機１１へと送られる。全館空調システムの上記動作は、全館空調システムを総括的に制御する制御部（不図示）により制御される。
【００１６】
ここで、図２に、分岐チャンバ４ａ，４ｂの斜視図を示す。図２（ａ）では、室内機１１、サプライチャンバ２、主ダクト３ａ，３ｂ、換気装置６も共に示している。図２（ｂ）は、分岐チャンバ４ａ（４ｂ）のみを示す。
【００１７】
分岐チャンバ４ａ，４ｂには、分岐ダクト５ａ〜５ｄと接続するための円形状の接続口（導出側接続口）４１ａ，４１ｂが突設されている。なお、本発明において円形状とは、ほぼ真円のことを意味する。接続口（導出側接続口）４１ａには、２本の分岐ダクト５ａ，５ｂの一端部が接続されており、主ダクト３ａから分岐チャンバ４ａ内へ導入された空気は、分岐ダクト５ａ，５ｂへと２つに分岐する。同様に、分岐チャンバ４ｂの接続口（導出側接続口）４１ａには、２本の分岐ダクト５ｃ，５ｄの一端部が接続されており、主ダクト３ｂから分岐チャンバ４ｂ内へ導入された空気は、分岐ダクト５ｃ，５ｄへと２つに分岐されて導出する。尚、本実施の形態１においては、分岐ダクト５ａ〜５ｄの外径として、１００乃至１５０ｍｍ程度のものが適用される。また、図１に示す全館空調システムであれば、導出側接続口４１ａ，４１ｂはそれぞれ２つずつ設けてあれば問題は無いが、分岐ダクトの増設等に備えて、図２のように導出側接続口４１ａ，４１ｂを６つずつ設けた分岐チャンバ４ａ，４ｂを用いてもよい。
【００１８】
主ダクト３ａ，３ｂの断面が楕円形状の接続口３２ａ，３２ｂと、分岐チャンバ４ａ，４ｂをそれぞれ接続するために、分岐チャンバ４ａ，４ｂには、楕円状の接続口（導入側接続口）４２ａ，４２ｂが突設されている。
【００１９】
分岐チャンバ４ａ，４ｂが、図１に示すように天井裏の空間に設置されている場合、サプライチャンバ２から分岐チャンバ４ａ，４ｂへと向かう主ダクト３ａ，３ｂは、その一部が、天井裏の空間に配置される必要がある。ところで、天井裏に関しては、居住空間の高さに影響が出ないように天井下がりを抑えることが求められ、また、天井裏の空間の高さがそもそも低くなっている場合も考えられる。そこで、サプライチャンバ２と分岐チャンバ４ａ，４ｂとの間に主ダクト３ａ，３ｂを配置する際は、断面が楕円形状である部分が、天井裏の空間を通るように配置する。
【００２０】
このように、天井裏の空間に配置される分岐チャンバ４ａ，４ｂに対して、楕円状の導入側接続口４２ａ，４２ｂを設けるように構成することで、分岐チャンバ４ａ，４ｂの高さ方向の寸法を抑えることができる。そのため、天井裏の空間の高さが低いような環境下でも、分岐チャンバ４ａ，４ｂを配置することが可能となり、機械室２００ｅに設置されたサプライチャンバ２と天井裏の空間に設置された分岐チャンバ４ａ，４ｂとをつなぐことができる。
【００２１】
なお、全館空調システムの室内機１１は縦長の箱型をなし、その上部に設けられたサプライチャンバ２は、箱形で中空のチャンバ本体２１と、チャンバ本体２１の上面から突出した断面円形状の筒型の接続口２２ａ，２２ｂとを有する。室内機１１が建物の床に設置された場合に、接続口２２ａ，２２ｂ（開口部）が天井の方向に向くので、天井裏から垂れ下げられて開口部が下を向いた主ダクト３ａ，３ｂの接続口３１ａ、３１ｂと、容易に向かい合わせることができる。この接続口２２ａ，２２ｂに、それよりもやや大径に形成された主ダクト３ａ，３ｂの接続口３１ａ，３１ｂが、例えば嵌め込みなどによって取り付けられる。主ダクト３ａ，３ｂの接続口３１ａ，３１ｂは、例えば外径が３５０ｍｍ程度、内径が２５０ｍｍ程度である。  尚、肉厚５０ｍｍには、グラスウール断熱材などの断熱層が含まれる。
この実施形態では、主ダクトの接続口３１ａ、３１ｂの面積がサプライチャンバ２の上面の面積に収まるので、接続口２２ａ，２２ｂをサプライチャンバ２の側壁に設けた場合にくらべて、設置空間を節約できるという効果がある。
【００２２】
図２に示す形状とは異なり、もしも主ダクト３ａ，３ｂの全ての部分が一様に断面円形状とされた場合、つまり、主ダクト３ａ，３ｂを、外径が３５０ｍｍ程度の円筒状ダクトとして構成した場合は、分岐チャンバ４ａ，４ｂの導入側接続口４２ａ，４２ｂも、３５０ｍｍ程度の円形状に構成しなければならない。従って、その分の天井下がりが発生するし、また、天井裏の空間の高さが３５０ｍｍ未満となっていると、そもそも天井裏の空間には分岐チャンバ４ａ，４ｂを配置することができない。
【００２３】
しかし、楕円形状の導入側接続口４２ａ，４２ｂを有する分岐チャンバ４ａ，４ｂを用いた場合、導入側接続口４２ａ，４２ｂの高さ（断面である楕円の短径）を３５０ｍｍよりも抑えて例えば２００ｍｍ程度にすることができる。従って、これに合わせて、分岐チャンバ４ａ，４ｂの高さを２００ｍｍよりも多少大きい程度に抑えることができるので、天井下がりを抑えることができ、また、天井裏の空間の高さが低くとも分岐チャンバ４ａ，４ｂを配置することが可能となる。言い換えれば、主ダクト３ａ、３ｂにつき、分岐チャンバ４ａ、４ｂとの接続をなす一端および天井裏を這う部分はそれぞれ断面が扁平形状を呈しており、天井から室内機１１へ向けて垂れ下がって接続口３１ａ、３１ｂをなす一端はそれぞれ円形の断面形状を呈している。主ダクト３ａとして一本の同じ口径のフレキシブルダクトを用いることができるように、チャンバ本体２１の上面から突出した断面円形状の筒型の接続口２２ａの外周長と、分岐チャンバ４ａの楕円状の導入側接続口４２ａの外周長とは、ほぼ同じ長さに形成される。具体的には主ダクト３ａの内径が２５０ｍｍの場合、接続口２２ａの外周長および導入側接続口４２ａは、２５０ｍｍに円周率を乗じた値７８５ｍｍに嵌めあい代を考慮した値にそれぞれ形成される。もちろん、主ダクト３ｂについても同様であることはいうまでもない。
【００２４】
尚、上記では、分岐チャンバ４ａ，４ｂの導入側接続口４２ａ，４２ｂの形状を楕円形状としたが、高さを抑えることのできる断面形状であればよく、楕円形状に限らずに、矩形状、対向して離間する円弧間を平行な２つの線分で結んだ角丸長方形状（いわゆる陸上競技のトラック形状）、卵形状等を含む種々の扁平形状であれば構わない。尚、導入側接続口４２ａ，４２ｂの高さ方向の寸法は、分岐チャンバ４ａ，４ｂの高さを抑えるように設定されるものであり、階間や天井裏の高さ方向の制約に応じて、適宜決定すればよい。好ましくは、導入側接続口４２ａ，４２ｂの高さ方向の寸法を、導出側接続口４１ａ，４１ｂの高さ方向の寸法と、略同程度にしておけばよい。ただし、本発明において、導出側接続口４１ａ，４１ｂの高さ方向の寸法、及び、導入側接続口４２ａ，４２ｂの高さ方向の寸法の大小関係については問われるべきものではなく、いずれの寸法が大きくなってもよい。
【００２５】
以上のようにこの実施の形態１によれば、分岐チャンバ４ａ，４ｂは、導出側接続口４１ａ，４１ｂと、導入側接続口４２ａ，４２ｂを有し、導出側接続口４１ａ，４１ｂの形状と、導入側接続口４２ａ，４２ｂの形状とが異なるように構成される。従って、分岐チャンバ４ａ，４ｂは、配置される箇所の環境に柔軟に対応できる。
【００２６】
なお、本願発明はその発明の範囲内において、実施の形態の任意の構成要素の変形、もしくは実施の形態の任意の構成要素の省略が可能である。
【図面の簡単な説明】
【００２７】
【図１】この発明の実施の形態１に係る空調用分岐チャンバを備えた全館空調システムの概略構成図である。
【図２】この発明の実施の形態１に係る空調用分岐チャンバの斜視図である。
【符号の説明】
【００２８】
１  空調機
２  サプライチャンバ
３ａ，３ｂ  主ダクト
４ａ，４ｂ  分岐チャンバ
５ａ〜５ｄ  分岐ダクト
６  換気装置
７ａ〜７ｄ  吹出口
８ａ  排気ダクト
８ｂ  吸気ダクト
１１  室内機
１２  室外機
２１  チャンバ本体
２２ａ，２２ｂ  接続口
３１ａ，３１ｂ  接続口
３２ａ，３２ｂ  接続口
３３ａ，３３ｂ  屈曲部
４１ａ，４１ｂ  接続口（導出側接続口）
１００ａ，１００ｂ  部屋
１００ｆ  廊下
１００ｇ  階段
２００ｃ，２００ｄ  部屋
２００ｅ  機械室
２００ｈ  廊下
【図２】
2016099084.tif 000003
【図１】
2016099084.tif 000004